(57)【特許請求の範囲】
【請求項１】
座席の横に肘掛部が配置され、該肘掛部に車両用機器を操作するための操作手段が設けられた車両の肘掛式操作装置において、
前記肘掛部は昇降支持機構に昇降可能に支持され、該昇降支持機構が前記座席とは別個に立設された基枠部と前記肘掛部を支持した状態で下部が前記基枠部に昇降可能に挿通された昇降部とからなり、該基枠部と昇降部との間に設けたロック手段により前記昇降部を所定高さ位置にロックすることにより、前記肘掛部が所定高さ位置にロックされるようにし、
更に前記肘掛部は前記昇降部に設けた水平支持機構により前後方向に沿って水平移動可能に支持され、かつ該水平支持機構に設けた前後方向に沿って延びる水平軸心を中心に揺動可能に支持されていることを特徴とする車両の肘掛式操作装置。
【請求項２】
前記水平支持機構に、前記肘掛部を水平移動不能及び揺動不能に固定する固定手段が設けられていることを特徴とする請求項１記載の車両の肘掛式操作装置。
【請求項３】
前記水平支持機構が、前記昇降部の上端に固定され前後方向に沿って拡縮径可能な一つ割り貫通孔を貫設した支持ブロックと、上部に肘掛部を固定し下部を前記一つ割り貫通孔に水平移動可能及び揺動可能に挿通した略Ｕ字状の支持アームとを有し、前記固定手段が、前記支持ブロックの雌ねじ部に螺入する雄ねじ部を有しており、該雄ねじ部をねじ込んで前記一つ割り貫通孔を縮径させることにより、前記支持アームを支持ブロックに固定するようにしたことを特徴とする請求項２記載の車両の肘掛式操作装置。
【発明の詳細な説明】
【０００１】
【発明の属する技術分野】
本発明は、例えばフォークリフトなどの車両に搭載した各種機器を座席の横の肘掛部に設けた操作手段により操作するようにした車両の肘掛式操作装置に関する。
【０００２】
【従来の技術】
従来、カウンタバランス型フォークリフトの一例として図７に示すものがある。これは、車体１の前部にマスト２が立設され、該マスト２に昇降可能に配置したリフトブラケット３にフォーク４が取り付けられ、車体１に設けたヘッドガード５により運転室６が形成され、該運転室６内の前部にハンドル７などが設けられ、運転室６内の後部に搭載したバッテリー１０に被せたバッテリーカバー１１の後部が枢支軸１１ａを介してヘッドガード５の後部脚５ａに枢支され、バッテリーカバー１１上に座席１２が固定され、該座席１２の横に肘掛部１３が配置され、該肘掛部１３に操作手段１４が配置されている。
【０００３】
前記肘掛部１３は、図８に示すように、座席１２に前後方向ａ，ｂとは直交すする水平方向に沿って設けた支軸１６に上下動可能に枢着した回動アーム１７に固定されている。また、前記操作手段１４としては、フォーク４をリフトアップ、ティルト及びサイドシフトさせるためのジョイステック１４ａ〜１４ｃと、前後進切換レバー１４ｄと、ホーンスイッチ１４ｅと、方向指示スイッチ１４ｆと、非常停止スイッチ１４ｇとが設けられており、その各操作手段１４ａ〜１４ｇは必要に応じて削減されたり増設されたりする。なお、１８はジョイステック１４ａ〜１４ｃを保護する保護枠である。
【０００４】
荷役作業を行う場合には、オペレータＭが座席１２に座って、左手でハンドル７を操作すると共に、右手の肘を肘掛部１３上にのせ、指部により操作手段１４を操作すればよい。これによって、フォーク４によりパレットＰを介して荷物Ｗを持ち上げ、車体１を走行させることにより、荷物Ｗを所定位置まで搬送することができる。
【０００５】
また、図８に仮想線で示すように、肘掛部１３を引き上げることにより、その肘掛部１３に邪魔されることなくオペレータＭが左右どちらからでも運転室６内に出入りすることができる。
【０００６】
【発明が解決しようとする課題】
上記従来の構成では、肘掛部１３が支軸１６を中心に回動されるようになっているだけであり、その肘掛部１３の位置をオペレータＭの体格に合わせて調整することができないため、肘掛部１３に設けた操作手段１４を操作する際に、オペレータＭに負担がかかることがある。また、肘掛部１３が座席１２と一体に連結されているので、客先の要望に応じて座席１２を取り換える場合には、肘掛部１３を取り外して新しい座席１２に取り付ける必要があり、手間がかかって面倒である。
【０００７】
本発明は、上記従来の欠点に鑑み、操作手段付き肘掛部を座席から独立させると共に、その肘掛部の位置をオペレータの体格に合わせて調整するすることができるようにした車両の肘掛式操作装置を提供することを目的としている。
【０００８】
【課題を解決するための手段】
上記目的を達成するため、請求項１記載の発明は、座席の横に肘掛部が配置され、該肘掛部に車両用機器を操作するための操作手段が設けられた車両の肘掛式操作装置において、前記肘掛部は昇降支持機構に昇降可能に支持され、該昇降支持機構が前記座席とは別個に立設された基枠部と前記肘掛部を支持した状態で下部が前記基枠部に昇降可能に挿通された昇降部とからなり、該基枠部と昇降部との間に設けたロック手段により前記昇降部を所定高さ位置にロックすることにより、前記肘掛部が所定高さ位置にロックされるようにし、更に前記肘掛部は前記昇降部に設けた水平支持機構により前後方向に沿って水平移動可能に支持され、かつ該水平支持機構に設けた前後方向に沿って延びる水平軸心を中心に揺動可能に支持されていることを特徴としている。
【０００９】
上記構成によれば、座席に座るオペレータの座高に合わせて、昇降支持機構及びロック手段により肘掛部を所定高さ位置にロックすることができ、その肘掛部に設けた操作手段を楽な姿勢で容易に操作することができる。
【００１０】
また、肘掛部を支持する基枠部が座席とは別個に独立して立設されているので、客先の要望に応じて座席を取り換える場合には、肘掛部をそのままにした状態で、座席だけを取り換えればよく、その取換作業を容易に行うことができる。また、昇降支持機構が基枠部と昇降部とからなり、構造が簡単であるから、製作費が安くつく。
【００１１】
また、座席に座るオペレータの腕の長さに合わせて、水平支持機構により肘掛部を前後に位置調整することができ、その肘掛部に設けた操作手段を楽な姿勢で容易に操作することができる。
【００１２】
また、座席に座るオペレータの手の向きに合わせて、前後方向に沿って延びる水平軸心を中心に肘掛部を左または右に揺動させて位置調整することができ、その肘掛部に設けた操作手段を楽な姿勢で容易に操作することができる。
【００１３】
請求項２記載の発明は、請求項１記載の発明において、前記水平支持機構に、前記肘掛部を水平移動不能及び揺動不能に固定する固定手段が設けられていることを特徴としている。
【００１４】
上記構成によれば、１つの固定手段が肘掛部の水平移動不能と揺動不能とに兼用されており、その兼用している分だけ部品点数が少ないから、製作費が安くつく。
【００１５】
請求項３記載の発明は、請求項２記載の発明において、前記水平支持機構が、前記昇降部の上端に固定され前後方向に沿って拡縮径可能な一つ割り貫通孔を貫設した支持ブロックと、上部に肘掛部を固定し下部を前記一つ割り貫通孔に水平移動可能及び揺動可能に挿通した略Ｕ字状の支持アームとを有し、前記固定手段が、前記支持ブロックの雌ねじ部に螺入する雄ねじ部を有しており、該雄ねじ部をねじ込んで前記一つ割り貫通孔を縮径させることにより、前記支持アームを支持ブロックに固定するようにしたことを特徴としている。
【００１６】
上記構成によれば、固定手段の雄ねじ部を支持ブロックの雌ねじ部にねじ込むだけで、該支持ブロックに貫設した一つ割り貫通孔を縮径させて、該一つ割り貫通孔に挿通した支持アームの下部が挟持されるから、その支持アームを介して肘掛部を水平移動不能及び揺動不能に固定することができる。また、水平支持機構が支持ブロックと支持アームとを有し、その構造が簡単であるから、製作費が安くつく。
【００１７】
【発明の実施の形態】
図１〜図５は本発明の実施の一形態である肘掛式操作装置を備えたカウンタバランス型フォークリフトを示すものであって、肘掛部１３が、ロック手段２０付き昇降支持機構２１及び固定手段２２付き水平支持機構２３により支持されている。上記以外の構成は図７及び図８に示す従来例とほぼ同一であるから、同一部分に同一符号を付してその説明を省略する。
【００１８】
前記昇降支持機構２１は、図２及び図５に示すように、バッテリーカバー１１の上面にビスなどの止着具２５で止着されたベース板２４と、該ベース板２４の上面に溶接されることにより座席１２とは別個に立設させた矩形筒状基枠部２１ａと、該基枠部２１ａに昇降可能に挿通された矩形筒状昇降部２１ｂとからなり、該昇降部２１ｂを昇降させるだけで、オペレータＭの座高に合わせて肘掛部１３の高さを調整することができる。
【００１９】
前記ロック手段２０は、図２及び図５に示すように、基枠部２１ａに固着したナット２０ａと、該ナット２０ａに螺入するハンドル２０ｂ付き雄ねじ部２０ｃとからなり、ハンドル２０ｂを把持して雄ねじ部２０ｃをねじ込むことにより、該雄ねじ部２０ｃの先端を昇降部２１ｂの側面に圧接させて、その昇降部２１ｂを所定高さ位置にロックすることができる。
【００２０】
前記水平支持機構２３は、図２、図４及び図５に示すように、昇降部２１ｂのの上端に固定した支持ブロック２３ａと、上部に肘掛部１３を固定した略Ｕ字状の円形パイプ製支持アーム２３ｂとを有し、前記支持ブロック２３ａの下部に前後方向ａ，ｂに沿って貫通孔２６を貫設すると共に、該貫通孔２６から支持ブロック２３ａの上面まで垂直に延びるスリット２７を形成することにより、貫通孔２６が拡縮径可能の一つ割り状に形成されており、その貫通孔２６に対して、支持アーム２３ｂの下部が前後方向ａ，ｂに水平移動可能及び該支持アーム２３ｂの下部の水平軸心Ｏを中心に左右方向ｃ，ｄに揺動可能に挿通されている。
【００２１】
前記固定手段２２は、図３〜図５に示すように、支持ブロック２３ａの上部を前後方向ａ，ｂとは直交する方向に沿って貫通する貫通孔２８の雌ねじ部に螺入されるレバー２２ａ付き雄ねじ部２２ｂを有しており、レバー２２ａを把持して雄ねじ部２２ｂをねじ込むだけで、支持ブロック２３ａに貫設した一つ割り貫通孔２６を縮径させて、該一つ割り貫通孔２６に挿通した支持アーム２３ｂの下部が挟持されるから、その支持アーム２３ｂを介して肘掛部１３を水平移動不能及び揺動不能に固定することができる。この場合、水平支持機構２３の構造が簡単であると共に、１つの固定手段２２が肘掛部１３の水平移動不能と揺動不能とに兼用されており、その兼用している分だけ部品点数が少ないから、製作費が安くつく。
【００２２】
荷役作業を行う場合には、それに先立って、昇降支持機構２１の昇降部２１ｂを昇降させ、該昇降部２１ｂをロック手段２０でロックすることにより、座席１２に座るオペレータＭの座高に合わせて、肘掛部１３の高さを調整する。次に、水平支持機構２３の支持アーム２３ｂを前後方向ａ，ｂに水平移動させることにより、オペレータＭの腕の長さに合わせて、肘掛部１３の前後位置を調整する。その後、水平軸心Ｏを中心に支持アーム２３ｂを揺動させることにより、オペレータＭの手の向きに合わせて、肘掛部１３の左右方向ｃ，ｄの向きを調整し、固定手段２２により支持アーム２３ｂを支持ブロック２３ａに固定して、肘掛部１３が不測に動かないようにする。これによって、オペレータＭは楽な姿勢で肘掛部１３に設けた操作手段１４を容易に操作することができる。以後、従来と同様の手順で、荷役作業を行えばよい。
【００２３】
前記バッテリー１０を交換する場合には、図６（ａ）に示すように、水平軸心Ｏを中心に支持アーム２３ｂを矢印ｃ方向に揺動させて肘掛部１３を内側に倒した後、バッテリーカバー１１を引き上げるだけでよい。これによって、図６（ｂ）に示すように、肘掛部１３をヘッドガード５の後部脚５ａに接触させることなくバッテリーカバー１１を引き上げて、バッテリー１０の上方を開放することができる。
【００２４】
上記した実施の一形態では、カウンタバランス型フォークリフトを例にあげて説明したが、これに限定されるわけではなく、例えばクレーン車などの各種車両にも適用することができる。
【００２５】
【発明の効果】
請求項１記載の発明によれば、座席に座るオペレータの座高に合わせて、昇降支持機構及びロック手段により肘掛部を所定高さ位置にロックすることができ、その肘掛部に設けた操作手段を楽な姿勢で容易に操作することができる。
【００２６】
また、肘掛部を支持する基枠部が座席とは別個に独立して立設されているので、客先の要望に応じて座席を取り換える場合には、肘掛部をそのままにした状態で、座席だけを取り換えればよく、その取換作業を容易に行うことができる。また、昇降支持機構が基枠部と昇降部とからなり、構造が簡単であるから、製作費が安くつく。
【００２７】
また、座席に座るオペレータの腕の長さに合わせて、水平支持機構により肘掛部を前後に位置調整することができ、その肘掛部に設けた操作手段を楽な姿勢で容易に操作することができる。
【００２８】
また、座席に座るオペレータの手の向きに合わせて、前後方向に沿って延びる水平軸心を中心に肘掛部を左または右に揺動させて位置調整することができ、その肘掛部に設けた操作手段を楽な姿勢で容易に操作することができる。
【００２９】
請求項２記載の発明によれば、１つの固定手段が肘掛部の水平移動不能と揺動不能とに兼用されており、その兼用している分だけ部品点数が少ないから、製作費が安くつく。
【００３０】
請求項３記載の発明によれば、固定手段の雄ねじ部を支持ブロックの雌ねじ部にねじ込むだけで、該支持ブロックに貫設した一つ割り貫通孔を縮径させて、該一つ割り貫通孔に挿通した支持アームの下部が挟持されるから、その支持アームを介して肘掛部を水平移動不能及び揺動不能に固定することができる。また、水平支持機構が支持ブロックと支持アームとを有し、その構造が簡単であるから、製作費が安くつく。
【図面の簡単な説明】
【図１】  本発明の実施の一形態である肘掛式操作装置を備えたカウンタバランス型フォークリフトを示す側面図である。
【図２】  同要部の一部切欠き側面図である。
【図３】  同要部の平面図である。
【図４】  同要部の一部切欠き背面図である。
【図５】  同要部の分解斜視図である。
【図６】  （ａ）はバッテリーの交換手順を示す要部の背面図、（ｂ）は同手順を示す要部の側面図である。
【図７】  従来例を示す側面図である。
【図８】  同要部の側面図である。
【符号の説明】
１３      肘掛部
１４      操作手段
２０      ロック手段
２１      昇降支持機構
２１ａ    基枠部
２１ｂ    昇降部
２２      固定手段
２２ｂ    雄ねじ部
２３      水平支持機構
２３ａ    支持ブロック
２３ｂ    支持アーム
２６      一つ割り貫通孔
Ｏ        水平軸心
ａ，ｂ    前後方向
【図１】
0003760081.tif 000002
【図２】
0003760081.tif 000003
【図３】
0003760081.tif 000004
【図４】
0003760081.tif 000005
【図５】
0003760081.tif 000006
【図６】
0003760081.tif 000007
【図７】
0003760081.tif 000008
【図８】
0003760081.tif 000009